(57)【要約】【課題】瞼が閉じることを規制する規制部を瞼の対向位置に単に設ける場合に比べ、瞼が閉じることを規制する規制部と瞼との間に隙間が生じることを起きにくくする。【解決手段】（Ａ）に示すように、目頭側突出部２１０の突出方向における先端部２１０Ａに、鼻側ゴム紐３１０が取り付けられており、この先端部２１０Ａを鼻側へ引っ張る引っ張り力が、この先端部２１０Ａに作用する。先端部２１０Ａに対して、鼻側へ引っ張る引っ張り力が作用すると、矢印３Ａに示すように、支持部材２００を反時計周り方向に回転させる回転モーメントが、支持部材２００に作用する。これにより、規制部１１０の目頭側部分１１３Ｍが、瞼に対して押し当てられる。【選択図】図３
2018187354.tif 000002
【特許請求の範囲】
【請求項１】
眼球を覆う瞼に接触配置され、瞼が閉じることを規制する規制部と、
前記規制部のうちの目頭側に配置される部分を、瞼に向けて付勢する付勢手段と、
を備える開瞼装置。
【請求項２】
前記付勢手段は、前記眼球を覆う下瞼側から上瞼側に向かう方向に沿う回転軸を中心に前記規制部を回転させる回転モーメントを当該規制部に与えて、前記目頭側に配置される前記部分を瞼に向けて付勢する請求項１に記載の開瞼装置。
【請求項３】
前記付勢手段は、前記規制部に接続された接続部分のうちの、被験者の顔面から離れた箇所を、当該被験者の鼻側に引っ張ることで、当該規制部に対して回転モーメントを与える請求項２に記載の開瞼装置。
【請求項４】
前記規制部に接続された接続部分を、被験者の鼻側および当該鼻側とは反対側に位置する耳側へ引っ張る引っ張り部材を更に備え、
前記付勢手段は、前記引っ張り部材から前記接続部分に作用する張力を利用して、前記目頭側に配置される前記部分を瞼に向けて付勢する請求項１に記載の開瞼装置。
【請求項５】
前記引っ張り部材のうちの鼻側に位置する部分から作用する張力により、前記眼球を覆う下瞼側から上瞼側に向かう方向に沿う回転軸を中心に前記規制部を回転させる回転モーメントが当該規制部に作用して、前記目頭側に配置される前記部分が瞼に向けて付勢される請求項４に記載の開瞼装置。
【請求項６】
前記規制部のうちの目尻側に配置される部分を、瞼に向けて付勢する付勢手段をさらに備える請求項１に記載の開瞼装置。
【請求項７】
前記規制部に接続された接続部分を、被験者の鼻側および当該鼻側とは反対側に位置する耳側へ引っ張る引っ張り部材を更に備え、
前記付勢手段は、前記引っ張り部材から前記接続部分に作用する張力を利用して、前記目尻側に配置される前記部分を瞼に向けて付勢する請求項６に記載の開瞼装置。
【請求項８】
眼球を覆う瞼に接触配置され、目頭側に配置される目頭側部分および目尻側に配置される目尻側部分を備え、瞼が閉じることを規制する規制部と、
前記規制部を支持し、目頭側に配置される部分が鼻側へ引っ張られ、目尻側に配置される部分が耳側へ引っ張られる支持部と、
前記支持部のうちの鼻側への引っ張り力が作用する引っ張り力作用箇所よりも、前記瞼に近い側に、前記目頭側部分が配置される開瞼装置。
【請求項９】
前記引っ張り力作用箇所と前記目頭側部分との位置関係を変更できるように構成された請求項８に記載の開瞼装置。
【請求項１０】
前記引っ張り力作用箇所と前記目頭側部分との離間距離を変更できるように構成された請求項８に記載の開瞼装置。
【請求項１１】
前記引っ張り力作用箇所と前記目頭側部分との間には、弾性部材が設けられている請求項８に記載の開瞼装置。
【請求項１２】
前記引っ張り力作用箇所は、被被験者の鼻を挟んで相対する２つの領域のうち、前記眼球が位置する一方の領域とは反対側に位置する他方の領域側に配置される請求項８に記載の開瞼装置。
【請求項１３】
前記眼球に関する測定を行う測定装置に対して押し当てられ当該測定装置に対して位置決めされる位置決め部を更に備える請求項８に記載の開瞼装置。
【請求項１４】
被験者の眼球を覆う瞼に接触配置され、目頭側に配置される目頭側部分および目尻側に配置される目尻側部分を備え、瞼が閉じることを規制する規制部と、
前記規制部よりも被験者の顔面から離れた側に配置され、当該規制部を支持する支持部と、
を備え、
前記規制部の前記目頭側部分が、前記支持部から離間している開瞼装置。
【請求項１５】
前記支持部は、環状に形成され、被験者に対して前記開瞼装置が取り付けられると、当該被験者の前記眼球の周囲に位置する部分に対して当該支持部が押し当てられる請求項１４に記載の開瞼装置。
【請求項１６】
前記規制部の前記目頭側部分が瞼に押し当てられると、当該目頭側部分が前記支持部に接近するように当該規制部が撓む請求項１４に記載の開瞼装置。
【請求項１７】
眼球を覆う瞼に接触配置され、瞼が閉じることを規制する規制部と、
前記規制部のうちの目尻側に配置される部分を、瞼に向けて付勢する付勢手段と、
を備える開瞼装置。
【請求項１８】
前記付勢手段は、前記眼球を覆う下瞼側から上瞼側に向かう方向に沿う回転軸を中心に前記規制部を回転させる回転モーメントを当該規制部に与えて、前記目尻側に配置される前記部分を瞼に向けて付勢する請求項１７に記載の開瞼装置。
【請求項１９】
眼球を覆う瞼に接触配置され、目頭側に配置される目頭側部分および目尻側に配置される目尻側部分を備え、瞼が閉じることを規制する規制部と、
前記規制部を支持し、目頭側に配置される部分が鼻側へ引っ張られ、目尻側に配置される部分が耳側へ引っ張られる支持部と、
前記支持部のうちの耳側への引っ張り力が作用する引っ張り力作用箇所よりも、前記瞼に近い側に、前記目尻側部分が配置される開瞼装置。
【請求項２０】
前記引っ張り力作用箇所と前記目尻側部分との位置関係を変更できるように構成された請求項１９に記載の開瞼装置。
【請求項２１】
前記引っ張り力作用箇所と前記目尻側部分との離間距離を変更できるように構成された請求項１９に記載の開瞼装置。
【請求項２２】
前記引っ張り力作用箇所と前記目尻側部分との間には、弾性部材が設けられている請求項１９に記載の開瞼装置。
【請求項２３】
被験者の眼球を覆う瞼に接触配置され、目頭側に配置される目頭側部分および目尻側に配置される目尻側部分を備え、瞼が閉じることを規制する規制部と、
前記規制部よりも前記被験者の顔面から離れた側に配置され、当該規制部を支持する支持部と、
を備え、
前記規制部の前記目尻側部分が、前記支持部から離間している開瞼装置。
【請求項２４】
被験者の眼球を覆う瞼に接触配置され、瞼が閉じることを規制する規制部と、
前記被験者の前記眼球側から当該被験者の鼻側に向かって延びるように配置され、前記規制部を当該鼻側へ引っ張るための引っ張り用部材と、
前記規制部よりも前記被験者の顔面から離れた側に配置され、前記引っ張り用部材からの引っ張り力を受ける引っ張り力受け部と、
を備える開瞼装置。
【請求項２５】
前記開瞼装置が取り付けられた前記被験者の顔面を正面から見た場合に、当該被験者の一方の目の目頭と他方の目の目頭とを通る直線上から外れた位置に、前記引っ張り力受け部が位置する請求項２４に記載の開瞼装置。
【請求項２６】
前記引っ張り力受け部は、少なくとも２か所設けられ、
一方の前記引っ張り力受け部が、前記直線を挟んで相対する一方の領域および他方の領域のうちの一方の領域側に位置し、他方の前記引っ張り力受け部が、他方の領域側に位置する請求項２５に記載の開瞼装置。
【請求項２７】
前記引っ張り力受け部は、少なくとも２か所設けられ、
前記開瞼装置が前記被験者に取り付けられた状態において、一の前記引っ張り力受け部と他の前記引っ張り力受け部とは、当該被験者の下瞼から上瞼に向かう方向において互いにずらされて配置され、
前記一の引っ張り力受け部と前記他の引っ張り力受け部との間には、前記下瞼から前記上瞼に向かう前記方向と交差する方向に沿って進行する光を通すための光通過部が設けられている請求項２４に記載の開瞼装置。
【請求項２８】
前記規制部のうちの前記被験者の顔面に接触する接触部分と、前記引っ張り力受け部との離間距離が、８ｍｍ以上である請求項２４に記載の開瞼装置。
【請求項２９】
前記規制部が、前記被験者の頭蓋骨に押し当てられるように、且つ、前記眼球が収まる眼窩の周囲に位置する縁部分に押し当てられるように構成されている請求項２４に記載の開瞼装置。
【請求項３０】
前記規制部として、上瞼および下瞼のうちの一方の瞼に接触配置され当該一方の瞼が閉じることを規制する第１規制部と、他方の瞼に接触配置され当該他方の瞼が閉じることを規制する第２規制部とが設けられ、
前記第１規制部と前記第２規制部との離間距離が、１９．０ｍｍ以上３４．０ｍｍ以下である請求項２４に記載の開瞼装置。
【請求項３１】
被験者の眼球を覆う瞼に接触配置され、瞼が閉じることを規制する規制部と、
前記被験者の前記眼球を挟み鼻側とは反対側に向かって延びるように配置され、前記規制部を当該反対側へ引っ張るための引っ張り用部材と、
前記規制部よりも前記被験者の顔面から離れた側に配置され、前記引っ張り用部材からの引っ張り力を受ける引っ張り力受け部と、
を備える開瞼装置。
【発明の詳細な説明】
【技術分野】
【０００１】
本発明は、開瞼装置に関する。
【背景技術】
【０００２】
特許文献１には、被計測者の眼球周辺の皮膚に接触して被計測者の上眼瞼および下眼瞼を開いた状態に維持する瞼抑え部が開示されている。
特許文献２には、眼瞼を囲繞し顔面に接して装着される可撓性を有する上リングを備えた開瞼器が開示されている。
特許文献３には、ノ−ズパッド本体から下眼瞼方向を指向した弾性を有するア−ムを有する構成が開示されている。
【先行技術文献】
【特許文献】
【０００３】
【特許文献１】特開２０１６−１０７１１５号公報
【特許文献２】特開２００９−２５４４２７号公報
【特許文献３】特開２０００−２６２５４９号公報
【発明の概要】
【発明が解決しようとする課題】
【０００４】
眼科の診療などにおいては、開瞼状態を維持することが要求される場合があり、この場合、例えば、瞼に対し、瞼の移動を規制する規制部を押し当てることで、瞼が閉じることを抑制できるようになる。ところで、人間の顔面の凹凸などに起因して、規制部と瞼との間に隙間が生じる場合があり、この場合、瞼が閉じやすくなる。
本発明の目的は、瞼が閉じることを規制する規制部を瞼の対向位置に単に設ける場合に比べ、瞼が閉じることを規制する規制部と瞼との間に隙間が生じることを起きにくくすることにある。
【課題を解決するための手段】
【０００５】
請求項１に記載の発明は、眼球を覆う瞼に接触配置され、瞼が閉じることを規制する規制部と、前記規制部のうちの目頭側に配置される部分を、瞼に向けて付勢する付勢手段と、を備える開瞼装置である。
請求項２に記載の発明は、前記付勢手段は、前記眼球を覆う下瞼側から上瞼側に向かう方向に沿う回転軸を中心に前記規制部を回転させる回転モーメントを当該規制部に与えて、前記目頭側に配置される前記部分を瞼に向けて付勢する請求項１に記載の開瞼装置である。
請求項３に記載の発明は、前記付勢手段は、前記規制部に接続された接続部分のうちの、被験者の顔面から離れた箇所を、当該被験者の鼻側に引っ張ることで、当該規制部に対して回転モーメントを与える請求項２に記載の開瞼装置である。
請求項４に記載の発明は、前記規制部に接続された接続部分を、被験者の鼻側および当該鼻側とは反対側に位置する耳側へ引っ張る引っ張り部材を更に備え、前記付勢手段は、前記引っ張り部材から前記接続部分に作用する張力を利用して、前記目頭側に配置される前記部分を瞼に向けて付勢する請求項１に記載の開瞼装置である。
請求項５に記載の発明は、前記引っ張り部材のうちの鼻側に位置する部分から作用する張力により、前記眼球を覆う下瞼側から上瞼側に向かう方向に沿う回転軸を中心に前記規制部を回転させる回転モーメントが当該規制部に作用して、前記目頭側に配置される前記部分が瞼に向けて付勢される請求項４に記載の開瞼装置である。
請求項６に記載の発明は、前記規制部のうちの目尻側に配置される部分を、瞼に向けて付勢する付勢手段をさらに備える請求項１に記載の開瞼装置である。
請求項７に記載の発明は、前記規制部に接続された接続部分を、被験者の鼻側および当該鼻側とは反対側に位置する耳側へ引っ張る引っ張り部材を更に備え、前記付勢手段は、前記引っ張り部材から前記接続部分に作用する張力を利用して、前記目尻側に配置される前記部分を瞼に向けて付勢する請求項６に記載の開瞼装置である。
請求項８に記載の発明は、眼球を覆う瞼に接触配置され、目頭側に配置される目頭側部分および目尻側に配置される目尻側部分を備え、瞼が閉じることを規制する規制部と、前記規制部を支持し、目頭側に配置される部分が鼻側へ引っ張られ、目尻側に配置される部分が耳側へ引っ張られる支持部と、前記支持部のうちの鼻側への引っ張り力が作用する引っ張り力作用箇所よりも、前記瞼に近い側に、前記目頭側部分が配置される開瞼装置である。
請求項９に記載の発明は、前記引っ張り力作用箇所と前記目頭側部分との位置関係を変更できるように構成された請求項８に記載の開瞼装置である。
請求項１０に記載の発明は、前記引っ張り力作用箇所と前記目頭側部分との離間距離を変更できるように構成された請求項８に記載の開瞼装置である。
請求項１１に記載の発明は、前記引っ張り力作用箇所と前記目頭側部分との間には、弾性部材が設けられている請求項８に記載の開瞼装置である。
請求項１２に記載の発明は、前記引っ張り力作用箇所は、被被験者の鼻を挟んで相対する２つの領域のうち、前記眼球が位置する一方の領域とは反対側に位置する他方の領域側に配置される請求項８に記載の開瞼装置である。
請求項１３に記載の発明は、前記眼球に関する測定を行う測定装置に対して押し当てられ当該測定装置に対して位置決めされる位置決め部を更に備える請求項８に記載の開瞼装置である。
請求項１４に記載の発明は、被験者の眼球を覆う瞼に接触配置され、目頭側に配置される目頭側部分および目尻側に配置される目尻側部分を備え、瞼が閉じることを規制する規制部と、前記規制部よりも被験者の顔面から離れた側に配置され、当該規制部を支持する支持部と、を備え、前記規制部の前記目頭側部分が、前記支持部から離間している開瞼装置である。
請求項１５に記載の発明は、前記支持部は、環状に形成され、被験者に対して前記開瞼装置が取り付けられると、当該被験者の前記眼球の周囲に位置する部分に対して当該支持部が押し当てられる請求項１４に記載の開瞼装置である。
請求項１６に記載の発明は、前記規制部の前記目頭側部分が瞼に押し当てられると、当該目頭側部分が前記支持部に接近するように当該規制部が撓む請求項１４に記載の開瞼装置である。
請求項１７に記載の発明は、眼球を覆う瞼に接触配置され、瞼が閉じることを規制する規制部と、前記規制部のうちの目尻側に配置される部分を、瞼に向けて付勢する付勢手段と、を備える開瞼装置である。
請求項１８に記載の発明は、前記付勢手段は、前記眼球を覆う下瞼側から上瞼側に向かう方向に沿う回転軸を中心に前記規制部を回転させる回転モーメントを当該規制部に与えて、前記目尻側に配置される前記部分を瞼に向けて付勢する請求項１７に記載の開瞼装置である。
請求項１９に記載の発明は、眼球を覆う瞼に接触配置され、目頭側に配置される目頭側部分および目尻側に配置される目尻側部分を備え、瞼が閉じることを規制する規制部と、前記規制部を支持し、目頭側に配置される部分が鼻側へ引っ張られ、目尻側に配置される部分が耳側へ引っ張られる支持部と、前記支持部のうちの耳側への引っ張り力が作用する引っ張り力作用箇所よりも、前記瞼に近い側に、前記目尻側部分が配置される開瞼装置である。
請求項２０に記載の発明は、前記引っ張り力作用箇所と前記目尻側部分との位置関係を変更できるように構成された請求項１９に記載の開瞼装置である。
請求項２１に記載の発明は、前記引っ張り力作用箇所と前記目尻側部分との離間距離を変更できるように構成された請求項１９に記載の開瞼装置である。
請求項２２に記載の発明は、前記引っ張り力作用箇所と前記目尻側部分との間には、弾性部材が設けられている請求項１９に記載の開瞼装置である。
請求項２３に記載の発明は、被験者の眼球を覆う瞼に接触配置され、目頭側に配置される目頭側部分および目尻側に配置される目尻側部分を備え、瞼が閉じることを規制する規制部と、前記規制部よりも前記被験者の顔面から離れた側に配置され、当該規制部を支持する支持部と、を備え、前記規制部の前記目尻側部分が、前記支持部から離間している開瞼装置である。
請求項２４に記載の発明は、被験者の眼球を覆う瞼に接触配置され、瞼が閉じることを規制する規制部と、前記被験者の前記眼球側から当該被験者の鼻側に向かって延びるように配置され、前記規制部を当該鼻側へ引っ張るための引っ張り用部材と、前記規制部よりも前記被験者の顔面から離れた側に配置され、前記引っ張り用部材からの引っ張り力を受ける引っ張り力受け部と、を備える開瞼装置である。
請求項２５に記載の発明は、前記開瞼装置が取り付けられた前記被験者の顔面を正面から見た場合に、当該被験者の一方の目の目頭と他方の目の目頭とを通る直線上から外れた位置に、前記引っ張り力受け部が位置する請求項２４に記載の開瞼装置である。
請求項２６に記載の発明は、前記引っ張り力受け部は、少なくとも２か所設けられ、一方の前記引っ張り力受け部が、前記直線を挟んで相対する一方の領域および他方の領域のうちの一方の領域側に位置し、他方の前記引っ張り力受け部が、他方の領域側に位置する請求項２５に記載の開瞼装置である。
請求項２７に記載の発明は、前記引っ張り力受け部は、少なくとも２か所設けられ、前記開瞼装置が前記被験者に取り付けられた状態において、一の前記引っ張り力受け部と他の前記引っ張り力受け部とは、当該被験者の下瞼から上瞼に向かう方向において互いにずらされて配置され、前記一の引っ張り力受け部と前記他の引っ張り力受け部との間には、前記下瞼から前記上瞼に向かう前記方向と交差する方向に沿って進行する光を通すための光通過部が設けられている請求項２４に記載の開瞼装置である。
請求項２８に記載の発明は、前記規制部のうちの前記被験者の顔面に接触する接触部分と、前記引っ張り力受け部との離間距離が、８ｍｍ以上である請求項２４に記載の開瞼装置である。
請求項２９に記載の発明は、前記規制部が、前記被験者の頭蓋骨に押し当てられるように、且つ、前記眼球が収まる眼窩の周囲に位置する縁部分に押し当てられるように構成されている請求項２４に記載の開瞼装置である。
請求項３０に記載の発明は、前記規制部として、上瞼および下瞼のうちの一方の瞼に接触配置され当該一方の瞼が閉じることを規制する第１規制部と、他方の瞼に接触配置され当該他方の瞼が閉じることを規制する第２規制部とが設けられ、前記第１規制部と前記第２規制部との離間距離が、１９．０ｍｍ以上３４．０ｍｍ以下である請求項２４に記載の開瞼装置である。
請求項３１に記載の発明は、被験者の眼球を覆う瞼に接触配置され、瞼が閉じることを規制する規制部と、前記被験者の前記眼球を挟み鼻側とは反対側に向かって延びるように配置され、前記規制部を当該反対側へ引っ張るための引っ張り用部材と、前記規制部よりも前記被験者の顔面から離れた側に配置され、前記引っ張り用部材からの引っ張り力を受ける引っ張り力受け部と、を備える開瞼装置である。
【発明の効果】
【０００６】
請求項１の発明によれば、瞼が閉じることを規制する規制部を瞼の対向位置に単に設ける場合に比べ、瞼が閉じることを規制する規制部と瞼との間に隙間が生じることを起きにくくすることができる。
請求項２の発明によれば、目頭側に配置される部分を瞼に向けて直接押圧しないでも、目頭側に配置される部分を瞼に向けて付勢することができる。
請求項３の発明によれば、規制部に接続された接続部分の一部を引っ張ることで、規制部に対して回転モーメントを与えることができる。
請求項４の発明によれば、付勢のための専用部材を設けないでも、規制部のうちの目頭側に配置される部分を瞼に向けて付勢することができる。
請求項５の発明によれば、引っ張り部材のうちの鼻側に位置する部分から作用する張力を利用して、規制部のうちの目頭側に配置される部分を瞼に向けて付勢することができる。
請求項６の発明によれば、目尻側に配置される部分を瞼に向けて付勢する付勢手段が設けられていない場合に比べ、瞼と、規制部のうちの目尻側に配置される部分との間に隙間が生じることを起きにくくすることができる。
請求項７の発明によれば、付勢のための専用部材を設けないでも、規制部のうちの目尻側に配置される部分を瞼に向けて付勢することができる。
請求項８の発明によれば、瞼が閉じることを規制する規制部を瞼の対向位置に単に設ける場合に比べ、瞼が閉じることを規制する規制部と瞼との間に隙間が生じることを起きにくくすることができる。
請求項９の発明によれば、引っ張り力作用箇所と目頭側部分との位置関係を変更できない場合に比べ、開瞼装置の形状やサイズを、被験者により適したものにすることができる。
請求項１０の発明によれば、引っ張り力作用箇所と目頭側部分との離間距離を変更できない場合に比べ、開瞼装置の形状やサイズを、被験者により適したものにすることができる。
請求項１１の発明によれば、目頭部分への規制部の接触を維持しつつ、規制部から瞼に作用する荷重を低減させられるようになる。
請求項１２の発明によれば、測定対象となる眼球が位置する一方の領域側に、引っ張り力作用箇所が配置される場合に比べ、測定対象となる眼球から離れた箇所に、引っ張り力作用箇所を位置させられる。
請求項１３の発明によれば、測定装置に対して位置決めされる位置決め部が設けられていない場合に比べ、眼球に関する測定精度を高めることができる。
請求項１４の発明によれば、瞼が閉じることを規制する規制部を瞼の対向位置に単に設ける場合に比べ、瞼が閉じることを規制する規制部と瞼との間に隙間が生じることを起きにくくすることができる。
請求項１５の発明によれば、支持部が環状に形成されていない場合に比べ、被験者の眼球の周囲に位置する箇所に対して支持部を安定的に位置決めできる。
請求項１６の発明によれば、規制部が撓まない構成に比べ、規制部から瞼に作用する荷重を低減させることができる。
請求項１７の発明によれば、瞼が閉じることを規制する規制部を瞼の対向位置に単に設ける場合に比べ、瞼が閉じることを規制する規制部と瞼との間に隙間が生じることを起きにくくすることができる。
請求項１８の発明によれば、目尻側に配置される部分を瞼に向けて直接押圧しないでも、目尻側に配置される部分を瞼に向けて付勢することができる。
請求項１９の発明によれば、瞼が閉じることを規制する規制部を瞼の対向位置に単に設ける場合に比べ、瞼が閉じることを規制する規制部と瞼との間に隙間が生じることを起きにくくすることができる。
請求項２０の発明によれば、引っ張り力作用箇所と目尻側部分との位置関係を変更できない場合に比べ、開瞼装置の形状やサイズを、被験者により適したものにすることができる。
請求項２１の発明によれば、引っ張り力作用箇所と目尻側部分との離間距離を変更できない場合に比べ、開瞼装置の形状やサイズを、被験者により適したものにすることができる。
請求項２２の発明によれば、目尻部分への規制部の接触を維持しつつ、規制部から瞼に作用する荷重を低減させられるようになる。
請求項２３の発明によれば、瞼が閉じることを規制する規制部を瞼の対向位置に単に設ける場合に比べ、瞼が閉じることを規制する規制部と瞼との間に隙間が生じることを起きにくくすることができる。
請求項２４の発明によれば、瞼が閉じることを規制する規制部を瞼の対向位置に単に設ける場合に比べ、瞼が閉じることを規制する規制部と瞼との間に隙間が生じることを起きにくくすることができる。
請求項２５の発明によれば、被験者の一方の目の目頭と他方の目の目頭とを通る直線上に引っ張り力受け部が位置する場合に比べ、被験者の眼球に関する測定が、引っ張り力受け部に起因して行いにくくなることを抑制できる。
請求項２６の発明によれば、一方および他方の引っ張り力受け部の何れか一方が、被験者の一方の目の目頭と他方の目の目頭とを通る直線上に位置する場合に比べ、被験者の眼球に関する測定が、引っ張り力受け部に起因して行いにくくなることを抑制できる。
請求項２７の発明によれば、一の引っ張り力受け部と他の引っ張り力受け部との間に、光を通すための光通過部が設けられない場合に比べ、被験者の眼球に関する測定をより行いやすいものにできる。
請求項２８の発明によれば、規制部のうちの被験者の顔面に接触する接触部分と、引っ張り力受け部との離間距離が、８ｍｍ未満である場合に比べ、開瞼装置による開瞼機能を向上させることができる。
請求項２９の発明によれば、被験者の眼球に規制部が押し当てられる構成に比べ、被験者の眼球が規制部により圧迫されることを抑制できる。
請求項３０の発明によれば、第１規制部と第２規制部との離間距離が、１９．０ｍｍ未満又は３４．０ｍｍを超える場合に比べ、被験者の眼窩の周囲に位置する、頭蓋骨の縁部分に、規制部が押し当てられる可能性を高めることができる。
請求項３１の発明によれば、瞼が閉じることを規制する規制部を瞼の対向位置に単に設ける場合に比べ、瞼が閉じることを規制する規制部と瞼との間に隙間が生じることを起きにくくすることができる。
【図面の簡単な説明】
【０００７】
【図１】（Ａ）、（Ｂ）は、本実施形態の開瞼装置を説明する図である。
【図２】被験者に対して開瞼装置を装着した状態を示した図である。
【図３】（Ａ）は、開瞼装置を被験者に取り付けた状態を示した図であり、（Ｂ）は、比較例を示した図である。
【図４】（Ａ）、（Ｂ）は、開瞼装置の他の構成例を示した図である。
【図５】（Ａ）〜（Ｄ）は、開瞼装置の他の構成例である。
【図６】開瞼装置の他の構成例を示した図である。
【図７】開瞼装置の他の構成例を示した図である。
【図８】開瞼装置の他の構成例を示した図である。
【図９】（Ａ）、（Ｂ）は、開瞼装置の他の構成例を示した図である。
【図１０】開瞼装置の他の構成例を示した図である。
【図１１】開瞼装置を被験者に取り付けた状態を示した図である。
【図１２】被験者の正面から被験者の頭蓋骨を見た場合の図である。
【図１３】図１０の矢印XIII方向から開瞼装置を眺めた場合の図である。
【図１４】引っ張り力受け部と接触部分との離間距離を変化させた場合の、開瞼機能の変化、および、開瞼装置の装着感の変化を示した図である。
【発明を実施するための形態】
【０００８】
以下、添付図面を参照して、本発明の実施の形態について詳細に説明する。
図１（Ａ）、（Ｂ）は、本実施形態の開瞼装置１を説明する図である。
図１（Ａ）は、瞼に接触する側から開瞼装置１を眺めた場合の図であり、図１（Ｂ）は、図１（Ａ）とは反対側から開瞼装置１を眺めた場合の図である。
言い換えると、図１（Ａ）は、被験者に対向配置される側から開瞼装置１を眺めた場合の図であり、図１（Ｂ）は、図１（Ａ）とは反対側から開瞼装置１を眺めた場合の図である。
【０００９】
図１（Ａ）に示すように、開瞼装置１には、被験者の瞼に配置される瞼接触部材１００、瞼接触部材１００を支持する支持部材２００、瞼接触部材１００および支持部材２００を被験者に対して固定するための固定用部材であるゴム紐３００が設けられている。
瞼接触部材１００は、環状に形成され、また、ゴムや樹脂材料などの軟質の部材により形成されている。また、瞼接触部材１００には、被験者の眼球を覆う上瞼および下瞼が閉じることを規制する規制部１１０が設けられている。
【００１０】
より具体的には、本実施形態では、規制部１１０として、第１規制部１１１および第２規制部１１２が設けられている。
第１規制部１１１は、被験者の上瞼および下瞼のうちの一方の瞼に接触して（一方の瞼に押し当てられ）、この一方の瞼が閉じることを規制する。
第２規制部１１２は、他方の瞼に接触して（他方の瞼に押し当てられ）、この他方の瞼が閉じることを規制する。
【００１１】
以下の説明では、被験者の右目（被験者を正面から眺めた場合の左目）に対して、瞼接触部材１００が接触配置される場合を説明する。
この場合、第１規制部１１１は上瞼に接触し、第２規制部１１２は下瞼に接触する。なお、本実施形態の開瞼装置１は、左目にも用いることができ、この場合も、第１規制部１１１が上瞼に接触し、第２規制部１１２が下瞼に接触する。
図１（Ａ）に示すように、第１規制部１１１および第２規制部１１２の各々には、被験者の目頭側に配置される目頭側部分１１３Ｍ、および、被験者の目尻側に配置される目尻側部分１１３Ｊが設けられている。
【００１２】
支持部の一例としての支持部材２００も、図１（Ｂ）に示すように環状に形成されている。支持部材２００は、金属材料により構成され、剛性を有して形成される。本実施形態では、この支持部材２００に対して瞼接触部材１００が取り付けられている。
開瞼装置１が被験者に取り付けられると、この支持部材２００は、第１規制部１１１（図１（Ａ）参照）および第２規制部１１２よりも、被験者の顔面から離れた側に位置する。
【００１３】
引っ張り部材の一例としてのゴム紐３００は、図１（Ａ）に示すように、鼻側ゴム紐３１０と、耳側ゴム紐３２０とにより構成されている。
鼻側ゴム紐３１０は、環状に形成されている。また、鼻側ゴム紐３１０は、支持部材２００のうちの目頭側（鼻側）に配置される部分に対して取り付けられている。鼻側ゴム紐３１０は、開瞼装置１が被験者に取り付けられた際には、被験者の鼻側に位置する。
【００１４】
さらに、鼻側ゴム紐３１０は、被験者の左耳（被験者を正面から眺めた場合の右耳）に対して引っ掛けられて固定される。
言い換えると、鼻側ゴム紐３１０は、測定装置（図１では不図示）（眼球に関する測定を行う測定装置）による測定の対象となる眼球が位置する側とは反対側に位置する耳に対して取り付けられる。
さらに、この鼻側ゴム紐３１０は、支持部材２００を、被験者の鼻側（被験者の目頭側）へ引っ張る。
【００１５】
耳側ゴム紐３２０は、開瞼装置１が被験者に取り付けられると、この被験者の右耳側（鼻側とは反対側に位置する耳側、被験者を正面から眺めた場合の左耳側）に位置し、この右耳に対して引っ掛けられて固定される。
言い換えると、耳側ゴム紐３２０は、測定対象となる眼球と同じ側に位置する耳に対して取り付けられる。耳側ゴム紐３２０は、支持部材２００を、被験者の耳側（被験者の目尻側）へ引っ張る。
【００１６】
さらに、本実施形態では、支持部材２００に対して曲げ加工が施されており、図１（Ｂ）に示すように、支持部材２００の一部（目頭側に配置される一部）（符号２１０で示す部分）が、瞼接触部材１００の外表面から突出している。
本実施形態では、この突出する部分に対して、鼻側ゴム紐３１０が取り付けられている。さらに、本実施形態では、支持部材２００の一部が突出した結果、この一部と、瞼接触部材１００との間に間隙が設けられている。
なお、本明細書では、以下、支持部材２００の突出した上記一部を、目頭側突出部２１０と称する。
【００１７】
図２は、被験者に対して開瞼装置１を装着した状態を示した図である。なお、図２では、ゴム紐３００、支持部材２００の図示を省略し、瞼接触部材１００のみを図示している。
被験者に対して開瞼装置１が取り付けられると、被験者の眼球（右目の眼球）の周囲に位置する部分に対して、瞼接触部材１００が押し当てられる。
具体的には、上瞼に対して、瞼接触部材１００の第１規制部１１１が押し当てられ、下瞼に対して、瞼接触部材１００の第２規制部１１２が押し当てられる。これにより、上瞼および下瞼が閉じることが抑えられる。
【００１８】
図３（Ａ）は、開瞼装置１を被験者に取り付けた状態を示した図であり、図３（Ｂ）は、比較例を示した図である。
図３（Ａ）に示すように、本実施形態の開瞼装置１を被験者に取り付けると、被験者の左耳に対して、鼻側ゴム紐３１０が引っ掛けられ、被験者の右耳に対して耳側ゴム紐３２０が引っ掛けられる。さらに、上記のとおり、被験者の右目の上瞼および下瞼に対して瞼接触部材１００が押し当てられる。
【００１９】
さらに、本実施形態では、目頭側突出部２１０の突出方向における先端部２１０Ａに、鼻側ゴム紐３１０が取り付けられており、この先端部２１０Ａを鼻側へ引っ張る引っ張り力が、この先端部２１０Ａに作用する。
また、支持部材２００の目尻側の端部に対して、耳側ゴム紐３２０が取り付けられており、この端部には、支持部材２００を右耳側へ引っ張る引っ張り力が作用する。
【００２０】
本実施形態のように、目頭側突出部２１０の先端部２１０Ａに、鼻側へ引っ張る引っ張り力（以下、「鼻側引っ張り力」と称する）が作用すると、図３（Ａ）の矢印３Ａに示すように、支持部材２００を反時計周り方向に回転させる回転モーメントが、支持部材２００に作用する。
これにより、規制部１１０（第１規制部１１１、第２規制部１１２）の目頭側部分１１３Ｍ（図１（Ａ）も参照）が、瞼（上瞼、下瞼）に対して押し当てられるようになる。言い換えると、規制部１１０の目頭側部分１１３Ｍが、瞼に向けて付勢される。
【００２１】
ここで、本実施形態では、支持部材２００が、規制部１１０に接続された接続部分として機能しており、本実施形態では、この接続部分が、ゴム紐３００によって、被験者の鼻側、および、被験者の右耳側（測定対象となる眼球を挟んで鼻側とは反対側に位置する耳側）へ引っ張られ、この接続部分には、ゴム紐３００からの張力が作用する。
本実施形態では、この張力を利用して、回転モーメントを上記接続部分に生じさせ、目頭側部分１１３Ｍを瞼に向けて付勢する。
【００２２】
さらに説明すると、本実施形態では、図３（Ａ）に示すように、目頭側突出部２１０の先端部２１０Ａは、被験者の顔面から離れた箇所に位置しており、被験者の顔面から離れたこの箇所を、被験者の鼻側に引っ張る。
これにより、目頭側突出部２１０の根本部分あたりを中心に、支持部材２００が反時計回り方向に回転しようとする。そして、この回転により、目頭側部分１１３Ｍが、瞼に向けて付勢される。
【００２３】
さらには、本実施形態では、目頭側突出部２１０の先端部２１０Ａが、鼻側への引っ張り力が作用する引っ張り力作用箇所（以下、「鼻側引っ張り力作用箇所９０Ｎ」と称する）となっているが、本実施形態では、この鼻側引っ張り力作用箇所９０Ｎよりも瞼に近い側に、目頭側部分１１３Ｍが配置されている。
ここで、本実施形態では、鼻側ゴム紐３１０、目頭側突出部２１０等は、付勢手段として捉えることができ、この付勢手段によって、規制部１１０のうちの目頭側に配置される部分（目頭側部分１１３Ｍ）が、瞼に向けて付勢される。
【００２４】
図３（Ｂ）は、開瞼装置１の比較例を示した図である。
この比較例では、目頭側突出部２１０が設けられていない。この場合、図３（Ｂ）に示すように、開瞼装置１は、一般的な眼帯と同様の形状を有する。この場合、規制部１１０のうちの目頭側に配置される部分が、被験者の瞼から浮きやすい。
具体的には、人間の顔は、目頭の部分が窪んでおり、さらに、鼻が設けられている部分では、顔面の一部が突出している。この場合、規制部１１０のうちの目頭側に近い部分が、瞼から浮きやすい。
これに対し、本実施形態では、目頭側でも、規制部１１０が瞼に対して押し当たりやすくなり、開瞼状態が維持されやすくなる。
【００２５】
図４（Ａ）、（Ｂ）は、開瞼装置１の他の構成例を示した図である。
図４（Ａ）にて示す構成例では、目尻側でも、支持部材２００の曲げ加工を行い、目尻側に、被験者の顔面から離れる方向へ突出する目尻側突出部２２０を設けている。そして、この目尻側突出部２２０の先端部２２０Ａに、耳側ゴム紐３２０を取り付けている。
このように、目尻側突出部２２０を設けると、支持部材２００を時計周り方向へ回転させる回転モーメントが支持部材２００に作用するようになり、規制部１１０の目尻側部分１１３Ｊが、瞼に向けて付勢されやすくなる。
これにより、目尻側突出部２２０を設けない場合に比べ、瞼の目尻側に対して規制部１１０がより確実に押し当たるようになる。
【００２６】
より具体的には、この構成例では、目尻側突出部２２０の先端部２２０Ａが、耳側ゴム紐３２０からの引っ張り力の作用箇所（以下、「耳側引っ張り力作用箇所９０Ｋ」と称する）となっており、この先端部２２０Ａに対して、耳側ゴム紐３２０からの引っ張り力が作用する（張力が作用する）。
これにより、支持部材２００を時計回り方向に回転させる回転モーメントが、支持部材２００に作用し、この回転モーメントにより、規制部１１０の目尻側部分１１３Ｊが、瞼に付勢される。
【００２７】
さらに説明すると、この構成例では、図４（Ａ）に示すように、耳側引っ張り力作用箇所９０Ｋよりも瞼に近い側に、目尻側部分１１３Ｊが配置されている。
そして、この構成例では、回転モーメントが作用して、支持部材２００が時計周り方向に回転しようとすると、この目尻側部分１１３Ｊが、瞼に対して押し当てられるようになる。
【００２８】
また、この構成例は、鼻側への引っ張り力に起因する、目尻側部分１１３Ｊの瞼からの浮きを抑えられるようになる。
ここで、例えば、鼻側への引っ張り力が大きい場合、目尻側部分１１３Ｊが浮くおそれがあるが、目尻側突出部２２０を設け、時計回り方向への回転モーメントを支持部材２００に与えると、目尻側部分１１３Ｊが浮きにくくなる。
ここで、耳側ゴム紐３２０、目尻側突出部２２０等は、付勢手段として捉えることができ、この付勢手段によって、規制部１１０のうちの目尻側に配置される部分が、瞼に向けて付勢される。
【００２９】
図４（Ｂ）は、開瞼装置１の他の構成例を示した図である。
この構成例では、鼻側引っ張り力作用箇所９０Ｎと目頭側部分１１３Ｍとの位置関係を変更できるように構成されている。
言い換えると、この構成例では、鼻側引っ張り力作用箇所９０Ｎと目頭側部分１１３Ｍとの離間距離を変更できるように構成されている。
【００３０】
具体的には、この構成例では、目頭側突出部２１０が、支持部材２００の本体部２０５に対して変位できるようになっており、これにより、鼻側引っ張り力作用箇所９０Ｎと目頭側部分１１３Ｍとの位置関係や離間距離の変更を行える。
より具体的には、この構成例では、目頭側突出部２１０の根本部分を中心として、目頭側突出部２１０が回転するようになっており、目頭側突出部２１０を回転させることで、鼻側引っ張り力作用箇所９０Ｎと目頭側部分１１３Ｍとの位置関係や離間距離が変更される。
【００３１】
また、この構成例では、耳側引っ張り力作用箇所９０Ｋと目尻側部分１１３Ｊとの位置関係の変更を行えるようになっている。言い換えると、耳側引っ張り力作用箇所９０Ｋと目尻側部分１１３Ｊとの離間距離の変更を行えるようになっている。
より具体的には、上記と同様、目尻側突出部２２０の根本部分を中心として、目尻側突出部２２０の回転を行えるようになっており、目尻側突出部２２０を回転させることで、耳側引っ張り力作用箇所９０Ｋと目尻側部分１１３Ｊとの位置関係や離間距離の変更を行える。
【００３２】
なお、図４（Ｂ）に示す構成例では、目頭側突出部２１０や目尻側突出部２２０を、本体部２０５に対して固定するためのねじなどの固定機構（不図示）も設けられており、目頭側突出部２１０や目尻側突出部２２０を回転させた後は、この固定機構を用い、目頭側突出部２１０や目尻側突出部２２０を、本体部２０５に対して固定する。
【００３３】
ここで、図４（Ｂ）に示す構成例のように、鼻側引っ張り力作用箇所９０Ｎと目頭側部分１１３Ｍとの位置関係や離間距離を変更できたり、耳側引っ張り力作用箇所９０Ｋと目尻側部分１１３Ｊとの位置関係や離間距離を変更できたりする場合、被験者の頭部のサイズや被験者の顔面の形状などに、開瞼装置１のサイズや形状を合わせられるようになる。
【００３４】
言い換えると、開瞼装置１は、異なる複数の被験者に使用されることが想定され、上記にように、位置関係や離間距離の変更を行える場合は、開瞼装置１の形状やサイズを、開瞼装置１を装着する被験者に合わせられるようになる。
なお、この例では、鼻側および耳側の両側で、突出部（目頭側突出部２１０、目尻側突出部２２０）の変位を行えるようにしたが、一方の側でのみ、変位を行えるようにしてもよい。
【００３５】
図５（Ａ）〜（Ｄ）は、開瞼装置１の他の構成例である。
図５（Ａ）、（Ｂ）に示す構成例では、図５（Ａ）に示すように、目頭側部分１１３Ｍから離れる方向へ鼻側引っ張り力作用箇所９０Ｎを付勢する弾性部材４００が設けられている。
より具体的には、この構成例では、弾性部材４００として、コイルスプリング（圧縮ばね）が設けられている。また、この構成例では、目頭側突出部２１０と目頭側部分１１３Ｍとの間に、弾性部材４００が設けられている。
さらに、この構成例では、目頭側突出部２１０の根本部分を中心に、目頭側突出部２１０が回転可能となっている。
【００３６】
ここで、この構成例では、被験者の瞼への目頭側部分１１３Ｍの押し当てを行いつつ、瞼に作用する押圧荷重を低減させられる。
ここで、被験者の顔面の形状等や、開瞼装置１のサイズ等によっては、被験者の瞼に対して目頭側部分１１３Ｍが強く押し当てられるおそれがある。これに対し、この構成例では、瞼に対して目頭側部分１１３Ｍが強く押し当てられると、図５（Ｂ）に示すように、弾性部材４００が縮み、瞼から離れる方向へ目頭側部分１１３Ｍが逃げるようになる。
これにより、瞼への目頭側部分１１３Ｍの押し当てを行いつつ、瞼に作用する押圧荷重を低減させられるようになる。
【００３７】
なお、上記では、弾性部材４００として、コイルスプリングを用いた場合を一例に説明したが、弾性部材４００としては、コイルスプリングに限らず、図５（Ｃ）に示すように、トーションスプリングを用いてもよいし、図５（Ｄ）に示すように、板バネを用いてもよい。
また、図５（Ａ）〜（Ｄ）にて示す構成例では、目頭側部分１１３Ｍ側に弾性部材４００を設けたが、目尻側部分１１３Ｊ側にも弾性部材４００を設けてもよい。具体的には、例えば、図４（Ａ）にて示した目尻側突出部２２０と目尻側部分１１３Ｊとの間に弾性部材４００を設けてもよい。
【００３８】
図６は、開瞼装置１の他の構成例を示した図である。
上記では、瞼接触部材１００と支持部材２００の２部品を設けたが、図６に示す構成例では、瞼接触部材１００と支持部材２００とを一体とし、１部品としている。この場合、この一体の部材（図中、符号６Ａで示す部材）は、ゴムや樹脂材料により構成される。
さらに、この構成例でも、上記と同様、鼻側引っ張り力作用箇所９０Ｎよりも、瞼に近い側に、目頭側部分１１３Ｍが配置され、耳側引っ張り力作用箇所９０Ｋよりも、瞼に近い側に、目尻側部分１１３Ｊが配置されている。
【００３９】
ここで、図４（Ａ）等にて示した構成例では、目頭側突出部２１０や目尻側突出部２２０を設けることで、鼻側引っ張り力作用箇所９０Ｎや耳側引っ張り力作用箇所９０Ｋを、被験者の顔面から離した。
これに対し、図６にて示す構成例では、上記一体の部材（符号６Ａで示す部材）の厚みを大きくすることで、鼻側引っ張り力作用箇所９０Ｎや耳側引っ張り力作用箇所９０Ｋを、被験者の顔面から離している。
【００４０】
図７は、開瞼装置１の他の構成例を示した図である。
この開瞼装置１では、眼球に関する測定を行う測定装置９００に対して位置決めされる位置決め部２８０が設けられている。
眼球に関する測定では、測定装置９００に対して視線が向くように被験者が姿勢をとる。言い換えると、被験者の顔面が測定装置９００に向けられる。このとき、測定装置９００の対向位置に眼球が位置する状態となる。
【００４１】
さらに、この構成例では、開瞼装置１が測定装置９００に押し当てられる。具体的には、位置決め部２８０が、測定装置９００に設けられた被位置決め部９１０に押し当てられる。
より具体的には、この構成例は、位置決め部２８０および被位置決め部９１０の双方に、凹凸が形成されており、測定装置９００の被位置決め部９１０に対して、位置決め部２８０が嵌る。
【００４２】
これにより、測定装置９００に対する眼球の位置決めが行われ、眼球の位置決めが行われない場合に比べ、眼球に関する測定精度が向上する。
なお、この構成例では、目頭側突出部２１０、目尻側突出部２２０に対して、位置決め部２８０を固定しているが、位置決め部２８０の固定先は、目頭側突出部２１０、目尻側突出部２２０に限らず、支持部材２００の本体部２０５としてもよい。
【００４３】
図８は、開瞼装置１の他の構成例を示した図である。
この構成例では、鼻側引っ張り力作用箇所９０Ｎが、測定対象となる眼球（右目の眼球）が位置する一方側領域８Ａ側とは反対側の他方側領域８Ｂ側に位置している。
具体的には、この構成例では、被被験者の鼻を挟んで相対する２つの領域（一方側領域８Ａ（右耳側の領域）、他方側領域８Ｂ（左耳側の領域））が設けられているが、鼻側引っ張り力作用箇所９０Ｎは、測定対象の眼球が位置する一方側領域８Ａとは異なる他方側領域８Ｂに位置している。
【００４４】
より具体的には、この構成例では、鼻を跨ぐように目頭側突出部２１０を配置し（鼻の一部を覆うように目頭側突出部２１０を配置し）、鼻側ゴム紐３１０からの張力が作用する鼻側引っ張り力作用箇所９０Ｎを、他方側領域８Ｂに位置させている。
さらに、この構成例では、上記と同様、鼻側引っ張り力作用箇所９０Ｎよりも瞼に近い側に、目頭側部分１１３Ｍが配置されるようにし、上記と同様、支持部材２００に回転モーメントを作用させている。
【００４５】
さらに、この構成例では、図４（Ａ）等にて示した構成に比べ、鼻側引っ張り力作用箇所９０Ｎを、被験者の顔面により近い箇所に配置している。
この構成例では、他方側領域８Ｂ側へ大きく延びた目頭側突出部２１０の剛性を活用するため、鼻側引っ張り力は小さくてすみ（ゴム紐３００に生じる張力が小さくてすみ）、ゴム紐３００に起因して耳が痛くなることが起きにくくなる。
また、この構成例では、測定対象となる眼球から離れた箇所に、鼻側引っ張り力作用箇所９０Ｎを位置させられる。
【００４６】
図９（Ａ）、（Ｂ）は、開瞼装置１の他の構成例を示した図である。
図９（Ａ）は、被験者側とは反対側から開瞼装置１を眺めた場合の図であり、図９（Ｂ）は、図９（Ａ）の矢印ＩＸＢ方向から開瞼装置１を眺めた場合の図である。
この構成例では、図９（Ａ）に示すように、支持部材２００が、上記と同様、環状に形成されている。さらに、この構成例では、上記にて説明した目頭側突出部２１０のような突出部が設けられておらず、支持部材２００は、１つの平面（仮想平面）に沿って延びるように形成されている。
【００４７】
この構成例でも、上記と同様、被験者に対して開瞼装置１が取り付けられると、被験者の眼球の周囲に位置する部分に対し、環状の支持部材２００が押し当てられる（瞼接触部材１００を介して押し当てられる）。
また、この構成例では、瞼接触部材１００が、上記一つの平面に沿って配置されておらず、図９（Ａ）に示すように、目頭側部分１１３Ｍが、支持部材２００（支持部材２００のうちの符号９Ａ、９Ｂで示す部分）から離間し、被験者の瞼に向かう。
これにより、上記と同様、瞼のうちの目頭側の部分に対して、瞼接触部材１００の一部が押し当てられるようになる。
【００４８】
また、この構成例では、目頭側部分１１３Ｍが瞼に押し当てられると、目頭側部分１１３Ｍが支持部材２００に接近するように瞼接触部材１００が撓む。
より具体的には、図９（Ｂ）の矢印９Ｃに示すように、目頭側部分１１３Ｍが、支持部材２００側へ移動する。これにより、瞼接触部材１００が撓まない構成に比べ、被験者の瞼に作用する圧力が低減し、被験者が痛みを感じることが起きにくくなる。
なお、図９では、目頭側部分１１３Ｍを支持部材２００から離間させる場合を一例に説明したが、目尻側部分１１３Ｊを支持部材２００から離間させてもよい。また、目頭側部分１１３Ｍおよび目尻側部分１１３Ｊの両者を、支持部材２００から離間させてもよい。
【００４９】
（その他）
上記では、被験者への開瞼装置１の固定を、ゴム紐３００を用いて行ったが、開瞼装置１の固定は、ゴム紐３００に限らず、例えば、帯状の部材を用いて行ってもよい。
具体的には、例えば、上記鼻側ゴム紐３１０、耳側ゴム紐３２０の各々に替えて、帯状の部材を設け、この帯状の部材のそれぞれの端部を、例えば、被験者の後頭部の対向位置にて相互に固定することで、被験者への開瞼装置１の固定を行ってもよい。
また、ヘッドバンド状の部材（伸縮性を有する環状の部材）に対して、瞼接触部材１００を取り付け、このヘッドバンドを被験者の頭部に固定することで、被験者への瞼接触部材１００の固定を行ってもよい。
すなわち、開瞼装置１を被験者に固定するための部材としては、瞼が閉じることを規制するよう瞼接触部材１００を機能させることができる部材であれば、形状や材質は問わない。
【００５０】
また、上記では、第１規制部１１１および第２規制部１１２の２つの規制部１１０を設け、上瞼および下瞼の両者に対して規制部１１０が押し当たる構成としたが、第１規制部１１１および第２規制部１１２の一方の規制部１１０を省略し、上瞼および下瞼の一方にのみ、規制部１１０が押し当たる構成としてもよい。
【００５１】
また、開瞼装置１に対して、眼球に関する測定を行う測定装置を取り付け、開瞼装置１を被験者に対して取り付けるだけで、眼球に関する測定が行われるようにしてもよい。
さらに、上記では、目頭側突出部２１０のみを設けた構成、および、目頭側突出部２１０および目尻側突出部２２０を設けた構成の２つの構成を主に説明したが、目頭側突出部２１０を設けず目尻側突出部２２０のみを設けた構成としてもよい。
【００５２】
図１０は、開瞼装置１の他の構成例を示した図である。図１１は、開瞼装置１を被験者に取り付けた状態を示した図である。
図１０に示すように、この構成例でも、被験者の瞼に配置される瞼接触部材１００が設けられている。この瞼接触部材１００は、環状に形成されている（外周縁が楕円状となるように形成されている）。なお、図１０、図１１にて示すこの構成例では、図１等にて示した支持部材２００は設けられていない。
【００５３】
瞼接触部材１００には、上記と同様、被験者の眼球を覆う上瞼および下瞼に接触配置され、上瞼および下瞼が閉じることを規制する規制部１１０が設けられている。より具体的には、規制部１１０として、第１規制部１１１および第２規制部１１２が設けられている。
第１規制部１１１は、被験者の上瞼および下瞼のうちの一方の瞼に接触して、この一方の瞼が閉じることを規制する。第２規制部１１２は、他方の瞼に接触して、この他方の瞼が閉じることを規制する。
【００５４】
図１１に示すように、第１規制部１１１および第２規制部１１２の各々は、開瞼装置１が被験者に対して固定された場合に、被験者の目（眼球）の目頭側から目尻側にかけて配置される。図１０に示すように、第１規制部１１１および第２規制部１１２の各々は、目頭側端部１１８および目尻側端部１１９を有する。
さらに、この構成例では、図１０に示すように、第１規制部１１１と第２規制部１１２との離間距離Ｌ１が、１９．０ｍｍ以上３４．０ｍｍ以下となっている。
【００５５】
第１規制部１１１と第２規制部１１２との離間距離Ｌ１とは、開瞼装置１が被験者に装着されていない場合における（開瞼装置１が自然状態にある場合における）、第１規制部１１１の第２規制部１１２側の縁部１１１Ａと、第２規制部１１２の第１規制部１１１側の縁部１１２Ａとの離間距離を指す。
より具体的には、第１規制部１１１と第２規制部１１２との離間距離Ｌ１とは、鼻側引っ張り用部材３７０（詳細は後述）の延び方向（図中、破線１０Ｄで示す方向）と直交する方向における、縁部１１１Ａと縁部１１２Ａとの離間距離であって、この離間距離が最大となる部分における離間距離を指す。
【００５６】
図１１に示すように、鼻側引っ張り用部材３７０は、被験者の眼球側（測定装置（不図示）による測定対象となる眼球側）（図中、左目側）から、被験者の鼻側に向かって延びるように配置され、瞼接触部材１００（規制部１１０）をこの鼻側へ引っ張るための部材である。
【００５７】
さらに、図１１に示すように、本実施形態では、被験者の眼球側から被験者の耳側（測定対象となる眼球と同じ側に位置する耳側）に向かって延びるように配置され、瞼接触部材１００（規制部１１０）を、この耳側へ引っ張るための耳側引っ張り用部材３８０が設けられている。
言い換えると、本実施形態では、被験者の眼球（測定対象となる眼球）を挟み鼻側とは反対側へ、瞼接触部材１００を引っ張る耳側引っ張り用部材３８０が設けられている。
耳側引っ張り用部材３８０は、被験者の眼球を挟み鼻側とは反対側に向かって延びるように配置され、本実施形態では、耳側引っ張り用部材３８０により、鼻側とは反対側へ、瞼接触部材１００（規制部１１０）が引っ張られる。
【００５８】
さらに、この構成例では、図１０、図１１に示すように、瞼接触部材１００のうちの目頭側に配置される部分から、被験者の顔面から離れる方向に向かって突出する突出部５００が設けられている。ここで、本実施形態では、突出部５００として、第１突出部５１０、第２突出部５２０の２つの突出部５００が設けられている。
本実施形態では、この突出部５００の各々の突出方向における先端部に対して、鼻側引っ張り用部材３７０が取り付けられており、本実施形態では、瞼接触部材１００を被験者の鼻側へ引っ張るための引っ張り力を、この突出部５００の各々が受ける。
【００５９】
本実施形態では、突出部５００の各々の突出方向における先端部が、引っ張り力を受ける引っ張り力受け部５３０となっており、突出部５００の各々は、この引っ張り力受け部５３０にて、鼻側引っ張り用部材３７０からの引っ張り力を受ける。
より具体的には、本実施形態では、突出部５００の各々の先端部に対して、鼻側引っ張り用部材３７０の端部が固定されており、突出部５００の各々は、自身の先端部にて、鼻側引っ張り用部材３７０からの引っ張り力を受ける。
【００６０】
なお、本実施形態の開瞼装置１は、ゴム材料などの弾性を有する材料により構成されている。
また、本実施形態の開瞼装置１は、一部品により構成され、瞼接触部材１００、鼻側引っ張り用部材３７０、耳側引っ張り用部材３８０、および、突出部５００は、一体となって形成されている。
また、突出部５００は、瞼接触部材１００、鼻側引っ張り用部材３７０、および耳側引っ張り用部材３８０よりも厚みが厚い部分を有し、剛性が高い。付言すると、突出部５００は、回転モーメントによって、規制部１１０を瞼に対して押し当てるのに必要な剛性を有している。一方、瞼接触部材１００、鼻側引っ張り用部材３７０、および耳側引っ張り用部材３８０は、開瞼装置１が装着された場合に、被験者の顔の形状に沿いやすいような柔軟性を有している。
また、瞼接触部材１００の第１規制部１１１および第２規制部１１２はゴム材料などの弾性を有する材料により構成されているため、開瞼装置１が装着された状態で、第１規制部１１１および第２規制部１１２の位置（第１規制部１１１と第２規制部１１２との離間距離Ｌ１等）の調整が可能となっている。すなわち、開瞼装置１が装着された状態で、より好ましい位置に第１規制部１１１又は第２規制部１１２を微調整できるようになっている。
【００６１】
本実施形態では、図１１に示すように、引っ張り力受け部５３０は、瞼接触部材１００（規制部１１０）よりも被験者の顔面から離れた側に配置される。
これにより、本実施形態では、図１１に示すように、回転軸１１Ａを中心に瞼接触部材１００を回転させる回転モーメントＭが、瞼接触部材１００に作用する。
付言すると、被験者の眼球を覆う下瞼側から上瞼側に向かう方向に沿う回転軸１１Ａを中心に瞼接触部材１００を回転させる回転モーメントＭが瞼接触部材１００に作用する。
より具体的には、瞼接触部材１００のうちの目頭側に位置する部分を被験者の顔面に近づけ、瞼接触部材１００のうちの目尻側に位置する部分を被験者の顔面から離そうとする回転モーメントＭが瞼接触部材１００に作用する。
【００６２】
さらに、本実施形態では、図１１に示すように、開瞼装置１が取り付けられた被験者の顔面を正面から見た場合に、被験者の一方の目の目頭と他方の目の目頭とを通る直線１１Ｂ上から外れた箇所に、第１突出部５１０、第２突出部５２０が位置する。
言い換えると、本実施形態では、第１突出部５１０、第２突出部５２０の各々に設けられた引っ張り力受け部５３０が、被験者の一方の目の目頭と他方の目の目頭とを通る直線１１Ｂ上から外れた箇所に位置する。
【００６３】
具体的には、本実施形態では、一方の突出部５００である第１突出部５１０が、直線１１Ｂを挟んで相対する一方の領域および他方の領域のうちの一方の領域側に位置する。また、他方の突出部５００である第２突出部５２０が、他方の領域側に位置する。
より具体的には、第１突出部５１０が、直線１１Ｂよりも図中上方側（被験者の額側）に位置し、第２突出部５２０が、直線１１Ｂよりも図中下方側（被験者の頬側）に位置する。
言い換えると、本実施形態では、被験者の下瞼側から上瞼側に向かう方向（図中、矢印１１Ｃで示す方向）（以下、「上下方向」と称する）において、第１突出部５１０と第２突出部５２０は、互いにずらされて配置されている。
【００６４】
さらに、図１０に示すように、本実施形態では、第１突出部５１０と第２突出部５２０との間に、光を通すための光通過部５９０が設けられている。
より具体的には、本実施形態では、被験者の顔面に対する法線と交差する方向に沿って進行する光であって、上下方向と交差する方向（図１１にて符号１１Ｄで示す方向）（以下、「交差方向」と称する）に沿って進行する光を通すための光通過部５９０が設けられている。
【００６５】
言い換えると、本実施形態では、第１突出部５１０と第２突出部５２０の各々に設けられた引っ張り力受け部５３０の間に、光通過部５９０が設けられている。
付言すると、本実施形態では、第１突出部５１０と第２突出部５２０は、互いに離間した状態で配置され、第１突出部５１０と第２突出部５２０との間には、光を通すための間隙が設けられている。
【００６６】
眼球に関する測定（検査）にあっては、光（測定光）が被験者の鼻側から眼球へ、又は、眼球から鼻側へ進行することがある。すなわち、眼球を横切るように光が照射される場合がある。この際に、本実施形態では、この光が、光通過部５９０を通過する。このように光通過部５９０を設けると、より広角での測定を行えるようになる。
なお、光通過部５９０は、第１突出部５１０と第２突出部５２０とを互いに離し両者の間に間隙を設けることで形成してもよいし、その他に、例えば、切り欠きや貫通孔を形成することで形成してもよい。また、その他に、例えば、光が進行していく経路上の部材を、透明な材料で構成することで、光通過部５９０を形成してもよい。
【００６７】
また、本実施形態のように、第１突出部５１０と第２突出部５２０との間を、光を通過させる場合、第１突出部５１０と第２突出部５２０との離間距離Ｌ３（図１１参照）を、１４ｍｍ以上とすることが好ましい。
ここで、第１突出部５１０と第２突出部５２０との離間距離Ｌ３とは、第１突出部５１０と第２突出部５２０との離間距離のうちの、第１突出部５１０と第２突出部５２０とが最も接近している部分における離間距離を指す。
【００６８】
ここで、例えば、角膜に関する測定にあたっては、角膜の径は、概ね大きくても１３ｍｍくらいであり、離間距離Ｌ３を１４ｍｍよりも小さくすると、角膜に関する測定時に、光の光路上に、第１突出部５１０や第２突出部５２０が位置しやすくなる。
これに対し、第１突出部５１０と第２突出部５２０との離間距離Ｌ３を、１４ｍｍ以上とすると、角膜についての測定時における光路上に、第１突出部５１０や第２突出部５２０が位置しにくくなる。
【００６９】
図１２は、被験者の正面から、被験者の頭蓋骨を見た場合の図である。
人間の頭蓋骨には、眼球の収まる、頭蓋骨のくぼみである眼窩９５０が存在する。
本実施形態では、第１規制部１１１および第２規制部１１２は、上瞼（図１２では不図示）、下瞼のいずれかに押し当てられるとともに、図１２に示すように、被験者の頭蓋骨のうちの、眼窩９５０の周囲に位置する縁部分９６０に押し当てられる。
【００７０】
より具体的には、本実施形態では、第１規制部１１１と第２規制部１１２との離間距離Ｌ１（図１０参照）を、上記のように、１９．０ｍｍ以上〜３４．０ｍｍ以下としている。
離間距離Ｌ１を、１９．０ｍｍ以上〜３４．０ｍｍ以下とすると、第１規制部１１１および第２規制部１１２の一方の規制部が、一方の縁部分９６０（眉毛側又は頬側の一方の縁部分）に押し当てられ、また、他方の規制部が、他方の縁部分９６０に押し当てられる可能性が高くなる。
【００７１】
ここで、第１規制部１１１と第２規制部１１２との離間距離Ｌ１を、１９．０ｍｍよりも小さくすると、第１規制部１１１および第２規制部１１２の一方又は両方が、上記の縁部分９６０よりも内側の部分を押しやすくなってしまう。言い換えると、眼球の部分を押しやすくなってしまう。この場合、眼球が圧迫されてしまう。
また、第１規制部１１１と第２規制部１１２との離間距離Ｌ１を、３４．０ｍｍよりも大きくすると、瞼から離れた位置に、第１規制部１１１と第２規制部１１２の一方又は両方が、位置しやすくなり、開瞼機能が低下しやすくなる。
【００７２】
図１３は、図１０の矢印XIII方向から開瞼装置１を眺めた場合の図である。
本実施形態では、図１３に示すように、第１突出部５１０、第２突出部５２０の各々に設けられた引っ張り力受け部５３０は、規制部１１０から離れた箇所に配置されている。
さらに、本実施形態では、引っ張り力受け部５３０と、規制部１１０のうちの被験者の顔面に接触する接触部分１１０Ａとの離間距離Ｌ７が、８ｍｍ以上となっている。
【００７３】
引っ張り力受け部５３０と接触部分１１０Ａとの離間距離Ｌ７は、８ｍｍ以上とすることが好ましい。より好ましくは、１０ｍｍ以上であり、さらに好ましくは、１２ｍｍ以上である。また、１６ｍｍ以上とするとさらに良い。
ここで、引っ張り力受け部５３０と接触部分１１０Ａとの離間距離Ｌ７とは、開瞼装置１が被験者に装着されていない場合における（開瞼装置１が自然状態にある場合における）、引っ張り力受け部５３０と接触部分１１０Ａとの離間距離を指す。
【００７４】
また、引っ張り力受け部５３０と接触部分１１０Ａとの離間距離Ｌ７とは、図１３の直線１３Ａ上における、引っ張り力受け部５３０と接触部分１１０Ａとの距離を指す。
より具体的には、引っ張り力受け部５３０と接触部分１１０Ａとの離間距離Ｌ７とは、引っ張り力受け部５３０を通る直線１３Ａであって、接触部分１１０Ａを通る平面１３Ｃと直交する直線１３Ａ上における、引っ張り力受け部５３０と接触部分１１０Ａとの離間距離を指す。
【００７５】
図１４は、引っ張り力受け部５３０と接触部分１１０Ａとの離間距離Ｌ７を変化させた場合の、開瞼機能の変化、および、開瞼装置１の装着感の変化を示した図である。本実施形態では、離間距離Ｌ７が互いに異なる複数種類の開瞼装置１を用意するとともに、これらの各々を被験者に装着してもらい、開瞼機能および装着感について調査した。
ここで、図１４では、Ａ、Ｂ、Ｃ、Ｄの順に、評価結果が良いことを示している。付言すると、Ｄに近いほど、評価結果が良いことを示している。
【００７６】
ここで、開瞼機能とは、瞼が開いた状態を維持する機能である。開瞼機能としての性能が高いと、規制部１１０が瞼に対して押し当てられる力が強く、瞼が開いた状態を維持されやすくなる。一方、開瞼機能としての性能が低いと、規制部１１０が瞼に対して押し当てられる力が弱くなり、瞼が閉じやすくなってしまう。
また、装着感とは、ユーザが開瞼装置１を装着したときの被験者の感覚である。より具体的には、装着感とは、開瞼装置１が被験者に取り付けられたときの、被験者の痛みの感じにくさをいい、装着感が良いとは、被験者が痛みを感じにくい状態をさす。
【００７７】
ここで、本実施形態では、離間距離Ｌ７が８ｍｍ以上となると、開瞼機能が向上し、離間距離Ｌ７が８ｍｍ未満である場合に比べ、瞼がさらに閉じにくくなった。これは、離間距離Ｌ７が８ｍｍ以上となると、鼻側引っ張り用部材３７０の第２分岐部３７２Ｃが被験者の鼻に接触しにくくなり、その分だけ規制部１１０が瞼に対して押し当てられる力が強まるためである。
付言すると、本実施形態では、離間距離Ｌ７が８ｍｍ未満の場合も、開瞼機能が得られ、また、装着感も一応良好なものが得られるが、離間距離Ｌ７が８ｍｍ以上となると、この開瞼機能がさらに向上した。
【００７８】
また、本実施形態では、離間距離Ｌ７が大きくなるほど、開瞼機能が向上し、また、装着感が向上することが判明した。より具体的には、離間距離Ｌ７が１０ｍｍ以上、１２ｍｍ以上、１６ｍｍ以上となる毎に、開瞼機能および装着感の両者が向上することが判明した。
ここで、本実施形態では、離間距離Ｌ７が大きくなると、瞼接触部材１００がより強く瞼に押し当てられ開瞼機能が向上する。また、離間距離Ｌ７が大きくなると、鼻への鼻側引っ張り用部材３７０の押し付け力が小さくなり、被験者の装着感が向上する。
【００７９】
なお、離間距離Ｌ７の上限については、離間距離Ｌ７を２４ｍｍ以下とすることが好ましい。
様々な実験を行った結果、離間距離Ｌ７を、２４ｍｍよりも大きくすると、眼球に関する測定を行う測定装置と、開瞼装置１の干渉が起こりやすくなることが判明した。２４ｍｍ以下とすると、この干渉が起きにくくなる。
【００８０】
さらに、本実施形態では、図１０に示すように、鼻側引っ張り用部材３７０には、被験者のこめかみの部分に対向配置されるこめかみ対向部３７１と、このこめかみ対向部３７１よりも被験者の鼻側に配置される鼻側部３７２とが設けられている。
本実施形態では、鼻側部３７２に、この鼻側部３７２の長手方向に沿った間隙（溝）３７２Ａが形成されている。付言すると、鼻側部３７２では、鼻側引っ張り用部材３７０が分岐しており、第１分岐部３７２Ｂおよび第２分岐部３７２Ｃが設けられている。この第１分岐部３７２Ｂと第２分岐部３７２Ｃとの間に、間隙３７２Ａが設けられている。
【００８１】
図１１に示すように、本実施形態では、被験者に開瞼装置１が取り付けられると、被験者の一方の目（測定対象ではない方の目）の対向位置に、間隙３７２Ａが位置する。付言すると、本実施形態では、この一方の目の上方を、第１分岐部３７２Ｂが通過し、この一方の目の下方を、第２分岐部３７２Ｃが通過する。
これにより、本実施形態では、測定対象ではない方の目の視線が、鼻側引っ張り用部材３７０により遮られることが抑制される。
【００８２】
また、図１０に示すように、本実施形態では、こめかみ対向部３７１の部分は、シート状（帯状）となっており、こめかみ対向部３７１は、被験者の顔面（こめかみ）に面接触する。これにより、面接触しない場合に比べ、開瞼装置１が被験者に対してより安定的に固定される。
なお、本実施形態では、図１０に示すように、耳側引っ張り用部材３８０についても、シート状（帯状）となっており、耳側引っ張り用部材３８０側でも、開瞼装置１が被験者に対してより安定的に固定される。
【００８３】
さらに、本実施形態では、図１０に示すように、鼻側引っ張り用部材３７０の端部に、貫通孔により構成された被引っ掛け部３７４が設けられている。また、耳側引っ張り用部材３８０の端部に、フック状に形成され、被引っ掛け部３７４に引っ掛けられる引っ掛け部３７５が設けられている。
本実施形態では、被験者の後頭部にて、被引っ掛け部３７４に対して引っ掛け部３７５が引っ掛けられることで、鼻側引っ張り用部材３７０と耳側引っ張り用部材３８０とが相互に固定され、開瞼装置１が被験者に固定される。
【００８４】
なお、図１０、図１１では、瞼接触部材１００のうちの目頭側に位置する部分に、突出部５００を設けたが、瞼接触部材１００のうちの目尻側に位置する部分に、突出部５００を設け、この突出部５００に、耳側引っ張り用部材３８０を固定してもよい。
付言すると、目頭側と同様、目尻側に、耳側引っ張り用部材３８０からの引っ張り力を受ける引っ張り力受け部５３０を設けるとともに、この引っ張り力受け部５３０よりも、被験者の顔面に近い側に、瞼接触部材１００が配置される構成としてもよい。
【００８５】
また、図１０、図１１では、開瞼装置１が、一体の部材により構成された場合を説明した。付言すると、図１０、図１１では、瞼接触部材１００、突出部５００、鼻側引っ張り用部材３７０、耳側引っ張り用部材３８０が、それぞれ別部品ではなく、一体となっている構成例を説明した。
但し、これに限らず、瞼接触部材１００、突出部５００、鼻側引っ張り用部材３７０、耳側引っ張り用部材３８０の一部又は全部を別部品として、これらの部品を連結して開瞼装置１を構成するようにしてもよい。
【００８６】
また、鼻側引っ張り用部材３７０および耳側引っ張り用部材３８０は、必ずしもシート状（帯状）である必要はなく、開瞼装置１を被験者に固定し、瞼が閉じることを規制するよう瞼接触部材１００を機能させることができる部材であれば、形状や材質は問わない。
【符号の説明】
【００８７】
１…開瞼装置、８Ａ…一方側領域、８Ｂ…他方側領域、９０Ｎ…鼻側引っ張り力作用箇所、１１０…規制部、１１１…第１規制部、１１２…第２規制部、１１３Ｊ…目尻側部分、１１３Ｍ…目頭側部分、２００…支持部材、２１０…目頭側突出部、２２０…目尻側突出部、２８０…位置決め部、３００…ゴム紐、３１０…鼻側ゴム紐、３２０…耳側ゴム紐、４００…弾性部材
【図１】
2018187354.tif 000003
【図２】
2018187354.tif 000004
【図３】
2018187354.tif 000005
【図４】
2018187354.tif 000006
【図５】
2018187354.tif 000007
【図６】
2018187354.tif 000008
【図７】
2018187354.tif 000009
【図８】
2018187354.tif 000010
【図９】
2018187354.tif 000011
【図１０】
2018187354.tif 000012
【図１１】
2018187354.tif 000013
【図１２】
2018187354.tif 000014
【図１３】
2018187354.tif 000015
【図１４】
2018187354.tif 000016